(57)【要約】【課題】使用者が後席へ乗車する際、助手席の乗員の有無に応じて助手席を自動的に前方へ移動させることができる助手席駆動制御システムを提供する。【解決手段】車両の助手席を前後方向へ移動させる助手席駆動部６を備える助手席駆動制御システムは、助手席への乗車又は助手席の乗員を検出する第１乗車検出部２と、車両の後席への乗車又は後席の乗員を検出する第２乗車検出部３と、第２乗車検出部３にて後席への乗車又は後席の乗員が検出され、かつ第１乗車検出部２にて助手席への乗車又は助手席の乗員が検出されなかった場合、助手席が前方へ移動するように助手席駆動部６の動作を制御する制御装置１とを備える。【選択図】図１
2016175551.tif 000002
【特許請求の範囲】
【請求項１】
車両の助手席を前後方向へ移動させる駆動部を備える助手席駆動制御システムであって、
前記助手席への乗車又は該助手席の乗員を検出する第１乗車検出部と、
前記車両の後席への乗車又は該後席の乗員を検出する第２乗車検出部と、
前記第２乗車検出部にて前記後席への乗車又は前記後席の乗員が検出され、かつ前記第１乗車検出部にて前記助手席への乗車又は該助手席の乗員が検出されなかった場合、前記助手席が前方へ移動するように前記駆動部の動作を制御する制御装置と
を備える助手席駆動制御システム。
【請求項２】
前記制御装置は、
前記第２乗車検出部にて前記後席への乗車又は該後席の乗員が検出され、かつ前記第１乗車検出部にて前記助手席への乗車又は該助手席の乗員が検出された場合、前記助手席が前後方向中間の位置へ移動するように前記駆動部の動作を制御する
請求項１に記載の助手席駆動制御システム。
【請求項３】
前記第２乗車検出部にて前記後席への乗車又は該後席の乗員が検出され、かつ前記第１乗車検出部にて前記助手席への乗車又は該助手席の乗員が検出された場合、前記助手席の移動許可を受け付ける受付部を備え、
前記制御装置は、
前記受付部が移動許可を受け付けた場合、前記助手席が前後方向中間の位置へ移動するように前記駆動部の動作を制御する
請求項１又は請求項２に記載の助手席駆動制御システム。
【請求項４】
前記第１乗車検出部は、
助手席ドアの開閉を検出するスイッチ、前記助手席に設けられており、前記助手席に乗車した乗員の荷重を検出する荷重センサ、又は乗員を撮像する撮像部を含む
請求項１〜請求項３のいずれか一つに記載の助手席駆動制御システム。
【請求項５】
前記第２乗車検出部は、
後席ドアの開閉を検出するスイッチ、前記後席に設けられており、前記後席に乗車した乗員の荷重を検出する荷重センサ、又は乗員を撮像する撮像部を含む
請求項１〜請求項４のいずれか一つに記載の助手席駆動制御システム。
【請求項６】
車両の助手席を前後方向へ移動させる駆動部の動作を制御する制御装置であって、
前記助手席への乗車又は該助手席の乗員の有無に係る情報取得する第１取得部と、
前記車両の後席への乗車又は該後席の乗員の有無に係る情報取得する第２取得部と、
前記第１取得部にて取得した情報に基づいて、前記助手席への乗車又は該助手席の乗員の有無を判定する第１判定部と、
前記第２取得部にて取得した情報に基づいて、前記後席への乗車又は該助手席の乗員の有無を判定する第２判定部と、
前記後席への乗車又は前記後席の乗員が有り、かつ前記助手席への乗車又は該助手席の乗員が無い場合、前記助手席を前方へ移動させる制御信号を出力する出力部と
を備える制御装置。
【発明の詳細な説明】
【技術分野】
【０００１】
本発明は、車両の助手席を前後方向へ移動させる駆動部を備えた助手席駆動制御システム、及び該助手席駆動制御システムを構成する制御装置に関する。
【背景技術】
【０００２】
車両の運転席を、電動で前後及び昇降方向へ移動させる駆動部を備えたパワーシートがある（例えば、特許文献１）。また、車両への乗り込みを容易にするために、車両ドアが開いたときに、運転席の高さを自動的に調整するパワーシートが考えられている。
【先行技術文献】
【特許文献】
【０００３】
【特許文献１】特開２０１４−１７２４１７号公報
【発明の概要】
【発明が解決しようとする課題】
【０００４】
しかしながら、特許文献１には、後席への乗車し易さを考慮して助手席の位置を自動的に移動させる技術は開示されておらず、使用者が車両の後席へ乗車する際に助手席が後方に位置していた場合、乗車し難いという問題がある。
【０００５】
本発明の目的は、使用者が後席へ乗車する際、助手席の乗員の有無に応じて助手席を自動的に前方へ移動させることができる助手席駆動制御システム、及び該助手席駆動制御システムを構成する制御装置を提供することにある。
【課題を解決するための手段】
【０００６】
本発明の一態様に係る助手席駆動制御システムは、車両の助手席を前後方向へ移動させる駆動部を備える助手席駆動制御システムであって、前記助手席への乗車又は該助手席の乗員を検出する第１乗車検出部と、前記車両の後席への乗車又は該後席の乗員を検出する第２乗車検出部と、前記第２乗車検出部にて前記後席への乗車又は前記後席の乗員が検出され、かつ前記第１乗車検出部にて前記助手席への乗車又は該助手席の乗員が検出されなかった場合、前記助手席が前方へ移動するように前記駆動部の動作を制御する制御装置とを備える。
【０００７】
本発明の一態様に係る制御装置は、車両の助手席を前後方向へ移動させる駆動部の動作を制御する制御装置であって、前記助手席への乗車又は該助手席の乗員の有無に係る情報取得する第１取得部と、前記車両の後席への乗車又は該後席の乗員の有無に係る情報取得する第２取得部と、前記第１取得部にて取得した情報に基づいて、前記助手席への乗車又は該助手席の乗員の有無を判定する第１判定部と、前記第２取得部にて取得した情報に基づいて、前記後席への乗車又は該助手席の乗員の有無を判定する第２判定部と、前記後席への乗車又は前記後席の乗員が有り、かつ前記助手席への乗車又は該助手席の乗員が無い場合、前記助手席を前方へ移動させる制御信号を出力する出力部とを備える。
【０００８】
なお、本態様は、このような特徴的な処理部を備える助手席駆動制御システム及び制御装置として実現することができるだけでなく、かかる特徴的な処理をステップとする助手席駆動制御方法として実現したり、かかるステップをコンピュータに実行させるためのプログラムとして実現したりすることができる。また、助手席駆動制御システム又は制御装置の一部又は全部を実現する半導体集積回路として実現したり、助手席駆動制御システム又は制御装置を含むその他のシステムとして実現したりすることができる。
【発明の効果】
【０００９】
上記によれば、使用者が後席へ乗車する際、助手席の乗員の有無に応じて助手席を自動的に前方へ移動させることができる助手席駆動制御システム及び制御装置を提供することが可能となる。
【図面の簡単な説明】
【００１０】
【図１】本発明の実施形態１に係る助手席駆動制御システムの一構成例を示すブロック図である。
【図２】本実施形態１に係る制御装置の一構成例を示すブロック図である。
【図３】助手席の移動に係る処理手順を示すフローチャートである。
【図４】助手席の移動方法を示す説明図である。
【図５】本発明の実施形態２に係る助手席駆動制御システムの一構成例を示すブロック図である。
【図６】撮像部の取り付け箇所及び撮像範囲を示す説明図である。
【図７】助手席の移動に係る処理手順を示すフローチャートである。
【図８】助手席の最終位置確認に係る処理手順を示すフローチャートである。
【発明を実施するための形態】
【００１１】
［本発明の実施形態の説明］
最初に本発明の実施態様を列記して説明する。また、以下に記載する実施形態の少なくとも一部を任意に組み合わせてもよい。
【００１２】
（１）本発明の一態様に係る助手席駆動制御システムは、車両の助手席を前後方向へ移動させる駆動部を備える助手席駆動制御システムであって、前記助手席への乗車又は該助手席の乗員を検出する第１乗車検出部と、前記車両の後席への乗車又は該後席の乗員を検出する第２乗車検出部と、前記第２乗車検出部にて前記後席への乗車又は前記後席の乗員が検出され、かつ前記第１乗車検出部にて前記助手席への乗車又は該助手席の乗員が検出されなかった場合、前記助手席が前方へ移動するように前記駆動部の動作を制御する制御装置とを備える。
【００１３】
本態様にあっては、第１乗車検出部は、助手席への乗車又は該助手席の乗員を検出する。第１乗車検出部は、後席への乗車時における助手席の適切な位置を、助手席の乗員の有無に応じて特定するためのものである。第１乗車検出部は、助手席に着座している状態の乗員を検出するものに限定されるものでは無く、助手席に着座しようとする乗員を検出するものも含まれる。
第２乗車検出部は、後席への乗車又は該後席の乗員を検出する。第２乗車検出部は、基本的に後席へ着座しようとする乗員を検出するものであるが、乗車する過程にある助手席の乗員を検出するものも含まれる。
制御装置は、後席への乗車又は後席の乗員が検出され、かつ助手席への乗車又は助手席の乗員が検出されなかった場合、助手席が前方へ移動するように駆動部の動作を制御する。従って、助手席に乗員が存在しない状態で、使用者が後席へ乗車する際、助手席は自動的に前方へ移動し、使用者は容易に後席へ乗車することができる。
【００１４】
（２）前記制御装置は、前記第２乗車検出部にて前記後席への乗車又は該後席の乗員が検出され、かつ前記第１乗車検出部にて前記助手席への乗車又は該助手席の乗員が検出された場合、前記助手席が前後方向中間の位置へ移動するように前記駆動部の動作を制御する構成が好ましい。
【００１５】
本態様にあっては、制御装置は、後席への乗車又は後席の乗員が検出され、かつ助手席への乗車又は助手席の乗員が検出された場合、助手席が前後方向中間の位置へ移動するように駆動部の動作を制御する。
従って、助手席に乗員が存在する状態、又は助手席に乗車しようとする使用者が存在する状態で、他の使用者が後席へ乗車しようとする際、助手席は自動的に前後方向中間の位置へ移動するため、各使用者は容易に助手席及び後席へ乗車することができる。
【００１６】
（３）前記第２乗車検出部にて前記後席への乗車又は該後席の乗員が検出され、かつ前記第１乗車検出部にて前記助手席への乗車又は該助手席の乗員が検出された場合、前記助手席の移動許可を受け付ける受付部を備え、前記制御装置は、前記受付部が移動許可を受け付けた場合、前記助手席が前後方向中間の位置へ移動するように前記駆動部の動作を制御する構成が好ましい。
【００１７】
本態様にあっては、制御装置は、後席への乗車又は後席の乗員が検出され、かつ助手席への乗車又は助手席の乗員が検出された場合、受付部は助手席の移動許可を受け付ける。制御装置は、受付部が移動許可を受け付けた場合、助手席が前後方向中間の位置へ移動するように駆動部の動作を制御する。
従って、助手席に乗員が存在する状態で不意に助手席が移動することを防ぐことができる。
【００１８】
（４）前記第１乗車検出部は、助手席ドアの開閉を検出するスイッチ、前記助手席に設けられており、前記助手席に乗車した乗員の荷重を検出する荷重センサ、又は乗員を撮像する撮像部を含む構成が好ましい。
【００１９】
本態様にあっては、助手席ドアの開閉を検出するスイッチによって、助手席へ乗車する可能性がある乗員を予測的に検出することができる。また、荷重センサによって、助手席に着座し、又は着座過程にある乗員を検出することができる。更に、撮像部によって、助手席に乗車しようとする乗員又は乗車した乗員を直接的に検出することができる。
【００２０】
（５）前記第２乗車検出部は、後席ドアの開閉を検出するスイッチ、前記後席に設けられており、前記後席に乗車した乗員の荷重を検出する荷重センサ、又は乗員を撮像する撮像部を含む構成が好ましい。
【００２１】
本態様にあっては、後席ドアの開閉を検出するスイッチによって、後席へ乗車する可能性がある乗員を予測的に検出することができる。また、荷重センサによって、後席に着座し、又は着座過程にある乗員を検出することができる。更に、撮像部によって、後席に乗車しようとする乗員又は乗車した乗員を直接的に検出することができる。
【００２２】
（６）本発明の一態様に係る制御装置は、車両の助手席を前後方向へ移動させる駆動部の動作を制御する制御装置であって、前記助手席への乗車又は該助手席の乗員の有無に係る情報取得する第１取得部と、前記車両の後席への乗車又は該後席の乗員の有無に係る情報取得する第２取得部と、前記第１取得部にて取得した情報に基づいて、前記助手席への乗車又は該助手席の乗員の有無を判定する第１判定部と、前記第２取得部にて取得した情報に基づいて、前記後席への乗車又は該助手席の乗員の有無を判定する第２判定部と、前記後席への乗車又は前記後席の乗員が有り、かつ前記助手席への乗車又は該助手席の乗員が無い場合、前記助手席を前方へ移動させる制御信号を出力する出力部とを備える。
【００２３】
本態様にあっては、態様（１）同様、制御装置は、後席への乗車又は後席の乗員が検出され、かつ助手席への乗車又は助手席の乗員が検出されなかった場合、助手席が前方へ移動するように駆動部の動作を制御する。従って、助手席に乗員が存在しない状態で、使用者が後席へ乗車する際、助手席は自動的に前方へ移動し、使用者は容易に後席へ乗車することができる。
【００２４】
［本発明の実施形態の詳細］
本発明の実施形態に係る助手席駆動制御システム及び制御装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２５】
（実施形態１）
図１は本発明の実施形態１に係る助手席駆動制御システムの一構成例を示すブロック図である。実施形態１に係る助手席駆動制御システムは、車両に設けられた助手席８（図４参照）を電動で前後方向へ移動させる、いわゆるパワーシートの動作を制御する制御装置１を備える。制御装置１には、第１乗車検出部２、第２乗車検出部３、助手席位置検出部４、受付部５、助手席駆動部６が接続されている。
【００２６】
車両には運転席、助手席８及び後席９が設けられており（図４参照）、助手席８は前後方向へ移動可能に構成されている。助手席８は、乗員の臀部を支持するシートクッションと、乗員の背中を支持するシートバックと、シートバックの上端部に設けられたヘッドレストとで構成されており、助手席８は助手席移動機構７によって、前後方向へ移動可能に支持されている。助手席移動機構７は、車両の床部に固定された前後方向のロアレールと、該ロアレールに沿って前後方向へスライドするアッパレールとを備え、アッパレールは助手席８の底部に固定されている。
【００２７】
助手席駆動部６は、例えば、助手席移動機構７のロアレールに沿って、アッパレールを移動させるための駆動力を出力するモータと、ボールネジ及びナットからなるボールネジ機構とを備える。ナットはアッパレールに固定されている。ボールネジはモータの出力に接続され、ロアレールに固定されている。助手席駆動部６はモータを回転させることによってボールネジ機構を駆動し、助手席８を前後方向へ移動させる。助手席駆動部６の動作は制御装置１によって制御されている。助手席駆動部６は、制御装置１から出力された制御信号に従ってモータに電力を供給することによって、アッパレールをロアレールに沿って移動させ、助手席８を前後方向へ移動させる。
【００２８】
第１乗車検出部２は、例えば、助手席ドア開閉検出スイッチ２１及び助手席荷重センサ２２を備える。助手席ドア開閉検出スイッチ２１は、助手席ドアの開閉に応じてオンオフするカーテシースイッチであり、助手席ドアの開閉状態に応じた信号が制御装置１に入力される。助手席荷重センサ２２は、助手席８のシートクッションの内部に配された圧電素子、圧力センサシート等を備え、助手席８に着座した乗員による荷重を検出し、助手席８に着座した乗員の荷重に応じた信号が制御装置１に入力される。
【００２９】
第２乗車検出部３は、例えば、後席ドア開閉検出スイッチ３１及び後席荷重センサ３２を備える。後席ドア開閉検出スイッチ３１及び後席荷重センサ３２の構成は、助手席ドア開閉検出スイッチ２１及び助手席荷重センサ２２と同様であり、後席ドアの開閉状態に応じた信号、及び後席９に着座した乗員の荷重に応じた信号がそれぞれ制御装置１に入力される。
【００３０】
助手席位置検出部４は、助手席８の前後方向の位置を検出し、検出結果を制御装置１へ出力する。例えば、助手席位置検出部４は、アッパレール又はロアレールに設けられた近接センサである。近接センサは、アッパレール又はロアレールの所定箇所に設けられた被検出部に対する接近を磁気的に検出するホール素子等を有し、所定箇所への接近を検出することによって、助手席８の位置を検出する。なお、近接センサは助手席８の位置を検出する手段の一例であり、助手席８の位置に応じてオンオフするリミットスイッチを、アッパレール又はロアレールの適宜箇所に設け、該リミットスイッチのオンオフによって、助手席８の位置を検出しても良い。
【００３１】
受付部５は、各種操作画面の画像を表示する液晶パネル、有機ＥＬディスプレイ等の表示部と、表示された操作画面等への入力を受け付けるボタン又はタッチパネル等とを有する。受付部５は、助手席８に乗員が着座している場合に助手席８を電動で移動させても良いかどうかを受け付けるものであり、受付部５に対する操作の内容は制御装置１へ出力される。
【００３２】
図２は、本実施形態１に係る制御装置１の一構成例を示すブロック図である。制御装置１は、例えばＣＰＵ（Central Processing Unit）１１を備えたマイコンであり、ＣＰＵ１１には、第１取得部１２、第２取得部１３、第３取得部１４、記憶部１５、入力部１６及び出力部１７が接続されている。
【００３３】
第１取得部１２は、第１乗車検出部２に接続されており、助手席８への乗車又は助手席８の乗員の有無に係る情報を取得する。具体的には、第１取得部１２は、助手席ドア開閉検出スイッチ２１及び助手席荷重センサ２２からの信号をＡＤ変換し、ＡＤ変換されたデータを取得する。
第２取得部１３は、第２乗車検出部３に接続されており、後席９への乗車又は後席９の乗員の有無に係る情報を取得する。具体的には、第２取得部１３は、後席ドア開閉検出スイッチ３１及び後席荷重センサ３２からの信号をＡＤ変換し、ＡＤ変換されたデータを取得する。
第３取得部１４は、助手席位置検出部４に接続されており、助手席位置検出部４からの信号をＡＤ変換し、ＡＤ変換されたデータを取得する。
【００３４】
記憶部１５は、ＲＯＭ（Read Only Memory）、ＥＥＰＲＯＭ（Electrically Erasable Programmable ROM）、フラッシュメモリ等の不揮発性メモリと、ＲＡＭ（Random Access Memory）等の揮発性メモリとを有する。ＣＰＵ１１は、不揮発性メモリが記憶する制御プログラムを読み出して実行することにより、助手席８の駆動制御を行う。
【００３５】
入力部１６には、受付部５が接続されており、受付部５にて受け付けた操作内容が入力される。
出力部１７には、助手席駆動部６が接続されており、ＣＰＵ１１の制御に応じた制御信号が出力部１７から助手席駆動部６へ出力される。制御装置１の具体的な制御内容については後述する。
【００３６】
なお、制御プログラムは、記録媒体にコンピュータ読み取り可能に記録されている態様でも良い。記憶部１５は、図示しない読出装置によって記録媒体から読み出された制御プログラムを記憶する。記録媒体はＣＤ（Compact Disc）−ＲＯＭ、ＤＶＤ（Digital Versatile Disc）−ＲＯＭ、ＢＤ（Blu-ray（登録商標） Disc）等の光ディスク、フレキシブルディスク、ハードディスク等の磁気ディスク、磁気光ディスク、半導体メモリ等である。また、図示しない通信網に接続されている図示しない外部コンピュータから本実施形態１に係る制御プログラムをダウンロードし、記憶部１５に記憶させても良い。
【００３７】
図３は助手席８の移動に係る処理手順を示すフローチャート、図４は助手席８の移動方法を示す説明図である。制御装置１は、後席ドア開閉検出スイッチ３１にて、後席ドアが開扉したか否かを判定する（ステップＳ１１）。後席ドアが開扉していないと判定した場合（ステップＳ１１：ＮＯ）、制御装置１は処理を終える。後席ドアが開扉したと判定した場合（ステップＳ１１：ＹＥＳ）、制御装置１は、助手席荷重センサ２２にて、助手席８の乗員を検出する（ステップＳ１２）。また、制御装置１は、助手席ドア開閉検出スイッチ２１にて、助手席８への乗車を検出するようにしても良い。次いで、制御装置１は、助手席位置検出部４にて、助手席８の位置を検出する（ステップＳ１３）。
【００３８】
そして、制御装置１は、ステップＳ１２の検出結果に基づいて、助手席８に乗員が存在するか否かを判定する（ステップＳ１４）。助手席８に乗員が存在しないと判定した場合（ステップＳ１４：ＮＯ）、制御装置１は、ステップＳ１３の検出結果に基づいて、助手席８が前方に位置しているか否かを判定する（ステップＳ１５）。助手席８が前方に位置していると判定した場合（ステップＳ１５：ＹＥＳ）、制御装置１は処理を終える。助手席８が前方に位置していないと判定した場合（ステップＳ１５：ＮＯ）、制御装置１は、図４Ａに示すように、助手席８が前方へ移動するように助手席駆動部６の動作を制御し（ステップＳ１６）、処理を終える。
【００３９】
ステップＳ１４において、助手席８に乗員が存在すると判定した場合（ステップＳ１４：ＹＥＳ）、制御装置１は、ステップＳ１３の検出結果に基づいて、助手席８が前後方向中間の位置にあるか否かを判定する（ステップＳ１７）。助手席８が前後方向中間の位置にあると判定した場合（ステップＳ１７：ＹＥＳ）、制御装置１は処理を終える。助手席８が前後方向中間の位置に無いと判定した場合（ステップＳ１７：ＮＯ）、制御装置１は、受付部５にて助手席８の移動許可を受け付ける（ステップＳ１８）。助手席８の乗員は、受付部５を操作することによって、助手席８を移動させても良いか否かを入力することができ、制御装置１は受付部５に対する操作を検出することによって、助手席８の移動許可又は不許可を受け付ける。
【００４０】
次いで、制御装置１は、助手席８の移動が許可されたか否かを判定する（ステップＳ１９）。移動が許可されなかった場合（ステップＳ１９：ＮＯ）、制御装置１は処理を終える。助手席８の移動が許可された場合（ステップＳ１９：ＹＥＳ）、制御装置１は、助手席駆動部６へ制御信号を出力することによって、図４Ｂに示すように、助手席８が前後方向中間の位置へ移動するように助手席駆動部６の動作を制御し（ステップＳ２０）、処理を終える。
【００４１】
なお、本実施形態１に係る処理によって助手席８の移動制御が行われている途中で、図示しないパワーシート操作スイッチが操作された場合、以後、助手席８の前後方向の移動をマニュアル操作によって受け付け、助手席駆動部６の動作を制御する。
【００４２】
このように構成された実施形態１に係る助手席駆動制御システム及び制御装置１によれば、制御装置１は、後席ドアが開扉した際、助手席８の乗員の有無を検出し、助手席８に乗員が存在しない場合、助手席８を前方へ移動させることができる。従って、使用者が後席ドアを開き後席９へ乗車する際、自動的に助手席８が前方へ移動するため、容易に乗車することができる。
【００４３】
また、制御装置１は、後席ドアが開扉した際、助手席８の乗員の有無を検出し、助手席８に乗員が存在する場合、助手席８を前後方向中間の位置へ移動させることができる。従って、助手席８に乗車している乗員が助手席８のシートの移動によって圧迫されること無く、乗員も後席９へ容易に乗車することができる。２人の使用者が助手席８及び後席９へそれぞれ乗車しようとする場合も、助手席８は前後方向中間の位置に移動するため、各使用者は容易に助手席８及び後席９へ乗車することができる。
【００４４】
更に、助手席８に乗員が存在する際に助手席８を移動させるとき、受付部５にて助手席８の移動許可を受け付けた上で、助手席８を移動させる構成であるため、助手席８に乗員が存在する状態で不意に助手席８が移動することを防ぐことができる。
【００４５】
更にまた、第１乗車検出部２及び第２乗車検出部３は、それぞれ助手席ドア開閉検出スイッチ２１及び後席ドア開閉検出スイッチ３１によって、乗員の乗車を検出するため、助手席８及び後席９の乗員を予測的に検出することができ、助手席８を移動させることができる。
【００４６】
更にまた、第１乗車検出部２及び第２乗車検出部３は、それぞれ助手席荷重センサ２２及び後席荷重センサ３２によって、乗員を検出することができるため、助手席８及び後席９の乗員を確定的に検出することができ、助手席８を的確に移動させることができる。
【００４７】
（実施形態２）
実施形態２に係る助手席駆動制御装置１は、乗車する乗員を撮像する撮像部を更に備える点、制御装置１の処理手順が実施形態１と異なるため、以下では、主にかかる相違点を説明する。その他の構成及び作用効果は実施形態１と同様であるため、対応する箇所には同様の符号を付して詳細な説明を省略する。
【００４８】
図５は本発明の実施形態２に係る助手席駆動制御システムの一構成例を示すブロック図である。実施形態２に係る助手席駆動制御システムは、実施形態１の構成に加え、撮像部２１０を備える。
【００４９】
図６は撮像部２１０の取り付け箇所及び撮像範囲を示す説明図である。撮像部２１０は、例えば、ＣＭＯＳカメラ、ＣＣＤカメラ、赤外線カメラ等であり、助手席８又は後席９へ乗車する乗員が撮像範囲に収まるような姿勢で、ドアミラーに設置されている。撮像部２１０は撮像して得た画像データを制御装置１へ出力する。制御装置１は、撮像部２１０から出力された画像データを取得し、取得した画像データに基づいて、移動体を特定し、該移動体が助手席８へ乗車しようとする乗員、後席９へ乗車しようとする乗員を検出する。
【００５０】
なお、図６に示した撮像部２１０の設置箇所は一例であり、助手席８又は後席９の乗員を撮像することができる箇所であれば、その設置箇所は特に限定されるものでは無い。例えば、車内の天井部に撮像部２１０を設置しても良い。
また、図６は、一つの撮像部２１０を用いて、助手席８へ乗車する乗員と、後席９へ乗車する乗員とを撮像する構成例を示しているが、助手席８を撮像する第１の撮像部２１０と、後席９を撮像する第２の撮像部２１０とをそれぞれ車両に設置し、各乗員を撮像するように構成しても良い。
【００５１】
図７は助手席８の移動に係る処理手順を示すフローチャートである。制御装置１は、後席ドア開閉検出スイッチ３１にて、後席ドアが開扉したか否かを判定する（ステップＳ２１１）。後席ドアが開扉していないと判定した場合（ステップＳ２１１：ＮＯ）、制御装置１は処理を終える。後席ドアが開扉したと判定した場合（ステップＳ２１１：ＹＥＳ）、制御装置１は、助手席荷重センサ２２、助手席ドア開閉検出スイッチ２１又は撮像部２１０にて、助手席８への乗車又は助手席８の乗員を検出する（ステップＳ２１２）。助手席ドア開閉検出スイッチ２１又は撮像部２１０によれば、現に助手席８に着座している乗員のみならず、これから助手席８へ乗車しようとする乗員も検出することができる。次いで、制御装置１は、撮像部２１０又は後席荷重センサ３２にて後席９への乗車を検出する（ステップＳ２１３）。ステップＳ２１３の処理によって、実際に後席９へ乗車しようとする乗員を検出することができる。
【００５２】
次いで、制御装置１は、助手席位置検出部４にて、助手席８の位置を検出する（ステップＳ２１４）。そして、制御装置１は、ステップＳ２１２の検出結果に基づいて、助手席８に乗員が存在するか否かを判定する（ステップＳ２１５）。助手席８へ乗車し又は助手席８に着座した乗員がいないと判定した場合（ステップＳ２１５：ＮＯ）、制御装置１は、後席９へ乗車し又は後席９に着座した乗員が存在するか否かを判定する（ステップＳ２１６）。後席９へ乗車し又は後席９に着座した乗員がいると判定した場合（ステップＳ２１６：ＹＥＳ）、制御装置１は、ステップＳ２１４の検出結果に基づいて、助手席８が前方に位置しているか否かを判定する（ステップＳ２１７）。助手席８が前方に位置していないと判定した場合（ステップＳ２１７：ＮＯ）、制御装置１は助手席８が前方へ移動するように助手席駆動部６の動作を制御する（ステップＳ２１８）。
【００５３】
ステップＳ２１６において、助手席８に乗車し又は着座した乗員が存在しないと判定した場合（ステップＳ２１６：ＮＯ）、制御装置１は、ステップＳ２１４の検出結果に基づいて、助手席８が所定位置にあるか否かを判定する（ステップＳ２１９）。所定位置は、車両の使用者によって予め設定された位置でも良いし、前回乗車した乗員が助手席８を使用したときの該助手席８の位置でも良い。助手席８が所定位置に位置していないと判定した場合（ステップＳ２１９：ＮＯ）、制御装置１は、助手席８が所定位置へ移動するように助手席駆動部６の動作を制御する（ステップＳ２２２）。
【００５４】
ステップＳ２１５において、助手席８に乗車し又は助手席８に着座した乗員が存在すると判定した場合（ステップＳ２１５：ＹＥＳ）、制御装置１は、ステップＳ２１４の検出結果に基づいて、助手席８が前後方向中間の位置にあるか否かを判定する（ステップＳ２２１）。助手席８が前後方向中間の位置に無いと判定した場合（ステップＳ２２１：ＮＯ）、制御装置１は、受付部５にて助手席８の移動許可を受け付け（ステップＳ２２２）、助手席８の移動が許可されたか否かを判定する（ステップＳ２２３）。助手席８の移動が許可された場合（ステップＳ２２３：ＹＥＳ）、制御装置１は、助手席８が前後方向中間の位置へ移動するように助手席駆動部６の動作を制御する（ステップＳ２２４）。
【００５５】
ステップＳ２２４、ステップＳ２１８及びステップＳ２２２の処理を終えた場合、助手席８が前方に位置していると判定した場合（ステップＳ２１７：ＹＥＳ）、助手席８が所定位置に位置していると判定した場合（ステップＳ２１９：ＹＥＳ）、助手席８が前後方向中間の位置にあると判定した場合（ステップＳ２２１：ＹＥＳ）、移動が許可されなかった場合（ステップＳ２２３：ＮＯ）、制御装置１は、助手席ドア及び後席ドアが閉扉したか否かを判定する（ステップＳ２２５）。助手席ドア及び後席ドアが開扉していると判定した場合（ステップＳ２２５：ＮＯ）、制御装置１は処理をステップＳ２１２へ戻し、助手席８の駆動制御を継続する。つまり、制御装置１は、助手席８及び後席９への乗車又は乗員の有無を監視し、助手席８の位置制御を継続的に行う。助手席ドア及び後席ドアが閉扉したと判定した場合（ステップＳ２２５：ＹＥＳ）、制御装置１は最終的な助手席８の位置確定処理を行い（ステップＳ２２６）、処理を終える。
【００５６】
図８は助手席８の最終位置確認に係る処理手順を示すフローチャートである。ステップＳ２２６において制御装置１は以下の処理を実行することにより、助手席８及び後席９に乗車している乗員の存在を確定的に確認し、助手席８の位置を決定する。なお、以下の処理は必須の処理では無い。
まず、制御装置１は、助手席荷重センサ２２にて助手席８に乗車している乗員を検出する（ステップＳ２３１）。なお、撮像部２１０の撮像範囲に助手席８が含まれている場合、撮像部２１０によって助手席８を撮像し、乗員の存在を確認するように構成しても良い。また、制御装置１は、後席荷重センサ３２にて、後席９に乗車している乗員を検出する（ステップＳ２３２）。なお、撮像部２１０の撮像範囲に後席９が含まれている場合、撮像部２１０によって後席９を撮像し、乗員の存在を確認するように構成しても良い。
【００５７】
次いで、制御装置１は、ステップＳ２３２の検出結果に基づいて、後席９に乗員が存在するか否かを判定する（ステップＳ２３３）。後席９に乗員が存在しないと判定した場合（ステップＳ２３３：ＮＯ）、制御装置１は、助手席８の位置が所定位置であるか否かを判定する（ステップＳ２３４）。助手席８の位置が所定位置にあると判定した場合（ステップＳ２３４：ＹＥＳ）、制御装置１は処理を終える。助手席８の位置が所定位置にないと判定した場合（ステップＳ２３４：ＮＯ）、制御装置１は、助手席８を所定位置へ移動させるように助手席駆動部６の動作を制御し（ステップＳ２３５）、処理を終える。
【００５８】
ステップＳ２３３において、後席９に乗員が存在すると判定した場合（ステップＳ２３３：ＹＥＳ）、制御装置１は、ステップＳ２３１の検出結果に基づいて、助手席８に乗員が存在するか否かを判定する（ステップＳ２３６）。助手席８に乗員が存在しないと判定した場合（ステップＳ２３６：ＮＯ）、制御装置１は、助手席８が前方に位置しているか否かを判定する（ステップＳ２３７）。前方に位置していと判定した場合（ステップＳ２３７：ＹＥＳ）、制御装置１は処理を終える。前方に位置していないと判定した場合（ステップＳ２３７：ＮＯ）、制御装置１は、助手席８が前方へ移動するように助手席駆動部６の動作を制御し（ステップＳ２３８）、処理を終える。
【００５９】
ステップＳ２３６において乗員が助手席８に存在すると判定した場合（ステップＳ２３６：ＹＥＳ）、制御装置１は、助手席８が前後方向中間の位置にあるか否かを判定する（ステップＳ２３９）。助手席８が前後方向中間の位置にあると判定した場合（ステップＳ２３９：ＹＥＳ）、制御装置１は処理を終える。助手席８が前後方向中間の位置に無いと判定した場合（ステップＳ２３９：ＮＯ）、制御装置１は、助手席８の移動が許可されているか否かを判定する（ステップＳ２４０）。助手席８の移動が許可されていないと判定した場合（ステップＳ２４０：ＮＯ）、制御装置１は処理を終える。助手席８の移動が許可されていると判定した場合（ステップＳ２４０：ＹＥＳ）、制御装置１は、助手席８が前後方向中間の位置へ移動するように助手席駆動部６の動作を制御し（ステップＳ２４１）、処理を終える。
【００６０】
このように構成された実施形態２に係る助手席駆動制御システム及び制御装置１によれば、実施形態１と同様、使用者が後席ドアを開き後席９へ乗車する際、助手席８の乗員に有無に応じて助手席８を特定の位置へ移動させることができ、更に、後席ドアが開扉した後、乗車状況が変化した場合であっても、その状況に応じて、乗員が車両に乗車し易いような位置へ助手席８を移動させることができる。
【００６１】
また、全ての車両ドアが閉じた際、助手席８及び後席９に存在する乗員の有無を再確認し、各乗員に快適な位置へ助手席８を移動させることができる。
【符号の説明】
【００６２】
１  制御装置
２  第１乗車検出部
３  第２乗車検出部
４  助手席位置検出部
５  受付部
６  助手席駆動部
７  助手席移動機構
８  助手席
９  後席
１１  ＣＰＵ
１２  第１取得部
１３  第２取得部
１４  第３取得部
１５  記憶部
１６  入力部
１７  出力部
２１  助手席ドア開閉検出スイッチ
２２  助手席荷重センサ
３１  後席ドア開閉検出スイッチ
３２  後席荷重センサ
２１０  撮像部
【図１】
2016175551.tif 000003
【図２】
2016175551.tif 000004
【図３】
2016175551.tif 000005
【図４】
2016175551.tif 000006
【図５】
2016175551.tif 000007
【図６】
2016175551.tif 000008
【図７】
2016175551.tif 000009
【図８】
2016175551.tif 000010